(57)【要約】【課題】ギボシ端子等のコネクタの接続作業と接続確認とを容易に行うことができるコネクタ接続工具を提供する。【解決手段】コネクタ接続工具１１は、規定量の挿入によって接続する一対のギボシ端子２１を保持するとともに、保持した一対のギボシ端子２１を接続可能に開閉する一対のアーム部１３Ａ、１３Ｂと、一対のアーム部１３Ａ、１３Ｂが上記規定量を挿入したときに、前記一対のアーム部１３Ａ、１３Ｂの先端間の距離が所定距離に至ったことを検出する検出ユニット１５と、検出ユニット１５の検出結果を報知する報知ユニット１７とを備えるようにした。【選択図】図４
2016143626.tif 000002
【特許請求の範囲】
【請求項１】
規定量の挿入によって接続する一対のコネクタを保持するとともに、保持した一対のコネクタを接続可能に開閉する一対のアーム部と、
前記一対のアーム部の開閉動作によって前記一対のコネクタを前記規定量挿入したときに、前記一対のアーム部の先端間の距離が所定距離に至ったことを検出する検出部と、
前記検出部の検出結果を報知する報知部とを備えることを特徴とするコネクタ接続工具。
【請求項２】
前記一対のアーム部の先端部に、前記一対のコネクタを向かい合わせて保持するコネクタ保持部を備えることを特徴とする請求項１に記載のコネクタ接続工具。
【請求項３】
前記コネクタ保持部は、前記先端部の開方向に沿った方向への前記コネクタの相対移動を規制し、且つ、少なくとも前記先端部の開閉方向に対して垂直方向への前記コネクタの取り外しを許容する形状に形成されていることを特徴とする請求項２に記載のコネクタ接続工具。
【請求項４】
前記コネクタ保持部は、前記先端部の開方向に沿った方向への前記コネクタの相対移動を規制する規制部が着脱自在に構成されていることを特徴とする請求項２又は３に記載のコネクタ接続工具。
【請求項５】
前記コネクタは、前記規定量の挿入により互いに接続されるコネクタ本体と、前記コネクタ本体に係止する絶縁用のスリーブとを有する接続端子であり、
前記コネクタ保持部は、前記スリーブの後端に当接する当接部を有し、前記当接部が前記規制部として機能するとともに着脱自在に構成されていることを特徴とする請求項４に記載のコネクタ接続工具。
【請求項６】
前記検出部は、前記一対のアーム部間の距離が所定の距離に至ったことを検出するスイッチを有し、前記所定の距離を調整自在に構成していることを特徴とする請求項１乃至５のいずれかに記載のコネクタ接続工具。
【発明の詳細な説明】
【技術分野】
【０００１】
本発明は、コネクタを接続するコネクタ接続工具に関する。
【背景技術】
【０００２】
従来、製品の組立を行う際に機械化の難しい箇所は手作業で行う必要があった。その中の一つに配線等のコネクタの結線作業が有る。しかし人の手で大量に生産する際、コネクタ間の接続が十分でなく市場に出るまでの振動や衝撃で外れてしまい不良となってしまう恐れがあった。
また、手作業でコネクタを嵌合させる際、嵌合がきついコネクタや、コネクタが規定量まで挿入されているか判りにくいコネクタもある。例えば、圧着端子の一種であるギボシ端子は、手作業では嵌合がきつい場合があり、また、コネクタが規定量挿入されていない場合があった。そのため、接続不良を起こし、不良となるケースがあった。
ギボシ端子の接続不良を回避する技術としては、スリーブ内に設けたギボシ端子の挿入孔の内面に、ギボシ端子位置決め用のリブを一体に設けた技術が提案されている（例えば、特許文献１参照）。
【先行技術文献】
【特許文献】
【０００３】
【特許文献１】実開昭５８−１５５７８１号公報
【発明の概要】
【発明が解決しようとする課題】
【０００４】
しかし、特許文献１の技術は、特殊な端子構造にする必要があり、一般的なギボシ端子に適用できない。
本発明は、上述した事情を鑑みてなされたものであり、ギボシ端子等のコネクタの接続作業と接続確認とを容易に行うことができるコネクタ接続工具を提供することを目的としている。
【課題を解決するための手段】
【０００５】
上述した課題を解決するため、本発明は、規定量の挿入によって接続する一対のコネクタを保持するとともに、保持した一対のコネクタを接続可能に開閉する一対のアーム部と、前記一対のアーム部の開閉動作によって前記一対のコネクタを前記規定量挿入したときに、前記一対のアーム部の先端間の距離が所定距離に至ったことを検出する検出部と、前記検出部の検出結果を報知する報知部とを備えることを特徴とするコネクタ接続工具を提供する。
【０００６】
上記構成において、前記一対のアーム部の先端部に、前記一対のコネクタを向かい合わせて保持するコネクタ保持部を備えるようにしても良い。
また、上記構成において、前記コネクタ保持部は、前記先端部の開方向に沿った方向への前記コネクタの相対移動を規制し、且つ、少なくとも前記先端部の開閉方向に対して垂直方向への前記コネクタの取り外しを許容する形状に形成されるようにしても良い。
【０００７】
また、上記構成において、前記コネクタ保持部は、前記先端部の開方向に沿った方向への前記コネクタの相対移動を規制する規制部が着脱自在に構成されるようにしても良い。
また、上記構成において、前記コネクタは、前記規定量の挿入により互いに接続されるコネクタ本体と、前記コネクタ本体に係止する絶縁用のスリーブとを有する接続端子であり、前記コネクタ保持部は、前記スリーブの後端に当接する当接部を有し、前記当接部が前記規制部として機能するとともに着脱自在に構成されるようにしても良い。
【０００８】
また、上記構成において、前記検出部は、前記一対のアーム部間の距離が所定の距離に至ったことを検出するスイッチを有し、前記所定の距離を調整自在に構成するようにしても良い。
【発明の効果】
【０００９】
本発明のコネクタ接続工具は、規定量の挿入によって接続する一対のコネクタを保持するとともに、保持した一対のコネクタを接続可能に開閉する一対のアーム部と、前記一対のアーム部の開閉動作によって前記一対のコネクタを前記規定量挿入したときに、前記一対のアーム部の先端間の距離が所定距離に至ったことを検出する検出部と、前記検出部の検出結果を報知する報知部とを備えるので、ギボシ端子等のコネクタの接続作業と接続確認とを容易に行うことができる。
【図面の簡単な説明】
【００１０】
【図１】本発明の実施形態に係るコネクタ接続工具を示した正面図である。
【図２】図１の裏側から見たコネクタ接続工具を示した裏面図である。
【図３】図１のＩＩＩ方向から見たコネクタ接続工具を示した上面図である。
【図４】コネクタ接続工具をギボシ端子と共に示した斜視図である。
【図５】コネクタ接続工具の使用状態を示した正面図である。
【発明を実施するための形態】
【００１１】
以下、図面を参照して本発明の一実施の形態について説明する。
図１は本発明の実施形態に係るコネクタ接続工具を示した正面図であり、図２は図１の裏側から見た裏面図であり、図３は図１のＩＩＩ方向から見た上面図である。図４はコネクタ接続工具の使用状態を示した斜視図であり、図５はコネクタ接続工具の使用状態を示した正面図である。
このコネクタ接続工具１１は、雄雌一対のギボシ端子２１（図４）等のコネクタを接続するための工具である。以下の説明では、一対のギボシ端子２１を接続する場合を例に説明するとともに、一対のギボシ端子２１を特に区別して説明する場合には、雄側を雄側端子２２、雌側を雌側端子２３と表記する。
【００１２】
図１乃至図３に示すように、コネクタ接続工具１１は、少なくとも先端部１３Ｆが開閉自在に構成された工具本体１３と、工具本体１３に取り付けられた検出ユニット１５（検出部）、及び報知ユニット１７（報知部）とを備えている。
工具本体１３は、プライヤに似た構造を有しており、より具体的には、一対のアーム部１３Ａ、１３Ｂの長手方向の略中間部分を交差させてこの交差部１３Ｃを、回動軸Ｃ１（図１、図２）を介して回動自在に連結している。これによって、アーム部１３Ａ、１３Ｂの先端部１３Ｆが回動軸Ｃ１を支点にして図１中、α方向に開閉する。
【００１３】
一対のアーム部１３Ａ、１３Ｂの先端部１３Ｆは、交差部１３Ｃから直線状に延びる棒状に形成されている。一方、一対のアーム部１３Ａ、１３Ｂの基端部１３Ｒは、交差部１３Ｃから外側凸の弓状に屈曲する屈曲形状に形成されており、ギボシ端子２１の接続作業を行う作業者（以下、ユーザと言う）が基端部１３Ｒを手で把持しやすい形状にされている。この構成により、ユーザが一対の基端部１３Ｒを把持して容易に持ち運ぶことができる。また、基端部１３Ｒ間を閉じるようにユーザが握る操作を行うことにより、一対の先端部１３Ｆを容易に閉操作することができる。すなわち、基端部１３Ｒはユーザが操作する操作部として機能する。
【００１４】
また、この工具本体１３は、てこの原理を利用して先端部１３Ｆを軽い力で閉操作できるように、回動軸Ｃ１から基端部１３Ｒ（ユーザが把持する部分）までの距離を、回動軸Ｃ１から先端部１３Ｆまでの距離よりも短くしている。これによりユーザの操作力を軽くすることができる。
【００１５】
上記一対のアーム部１３Ａ、１３Ｂは金属材料で形成され、一対の基端部１３Ｒに対応する領域、つまり、ユーザが把持する領域には滑り止め等のためのゴム製カバー１３Ｋが装着されている。なお、アーム部１３Ａ、１３Ｂやカバー１３Ｋには樹脂材料等の他の材料を使用しても良い。
一対のアーム部１３Ａ、１３Ｂの先端部１３Ｆには、一対のギボシ端子２１の各々を保持するコネクタ保持部４１、４２が設けられ、一対のコネクタ保持部４１、４２により、図４に示すように一対のギボシ端子２１を向かい合わせて保持することができる。
【００１６】
ギボシ端子２１は、配線接続用のコネクタの一つして流通する一般的な接続端子であり、より具体的には、電気配線５、６（図４）の端末に圧着される圧着端子の一つであり、雄側端子２２を雌側端子２３に挿入することによって導通接続する。
同図４に示すように、雄側端子２２は、金属製の雄側本体２２Ａと、この雄側本体２２Ａに係止する絶縁用のスリーブ２２Ｂとを有している。スリーブ２２Ｂは、絶縁性や伸縮性を有する材料で形成され、このスリーブ２２Ｂの先端が縮径した筒形状に形成され、雄側本体２２Ａの基端部後端に係止する。これによって、スリーブ２２Ｂは雄側本体２２Ａからの脱落が防止されている。
【００１７】
雌側端子２３は、雄側本体２２Ａを挿入可能な金属製筒状の雌側本体２３Ａと、この雌側本体２３Ａに係止する絶縁用のスリーブ２３Ｂとを有している。このスリーブ２３Ｂは、スリーブ２２Ｂと同じ材料で形成され、雄側端子２２のスリーブ２２Ｂよりも長く、雌側本体２３Ａの全体を覆う筒形状に形成されている。
このスリーブ２３Ｂの一部は縮径して雌側本体２３Ａに係止し、雌側本体２３Ａからのスリーブ２３Ｂの脱落が防止されている。
この雌側本体２３Ａに雄側本体２２Ａを挿入した際に、雄側本体２２Ａに装着されたスリーブ２２Ｂが、雌側本体２３Ａに装着されたスリーブ２３Ｂ内に挿入され、両スリーブ２２Ｂ及び２３Ｂが結合する。これによって、導通箇所である雄側本体２２Ａ及び雌側本体２３Ａがスリーブ２２Ｂ、２３Ｂで覆われる。
【００１８】
次いで、アーム部１３Ａ、１３Ｂの先端部１３Ｆに設けられる一対のコネクタ保持部４１、４２について説明する。一対のコネクタ保持部４１、４２は対称形状であるため、以下、一方のコネクタ保持部４１を説明し、同様の箇所は同符号を付して重複説明を省略する。
コネクタ保持部４１は、アーム部１３Ａ、１３Ｂの先端部１３Ｆに設けられる台座部４３と、台座部４３に着脱自在に設けられる着脱板部４５とを備えている。
【００１９】
台座部４３は、先端部１３Ｆの開側の面に接合される略直方体形状の金属ブロックであり、図４に示すように、ギボシ端子２１を載置する載置台、及び、着脱板部４５を着脱する着脱台として機能する。
より具体的には、台座部４３の前端面ＭＡ（つまり、開閉方向αに対して垂直方向外側に位置する面）が、開閉方向αに沿った平坦面に形成され、この前端面ＭＡに、雄側端子２２及び雌側端子２３が個別に載置される。
また、台座部４３の背面ＭＢ（つまり、開方向に位置する面であり、先端部１３Ｆと反対側に位置する面）が、開閉方向αに垂直な平面に形成され、この背面ＭＢに、着脱板部４５が複数（本実施形態では２本）の締結部材４４によって締結固定される。なお、図４中、符号Ｈ１は台座部４３に設けられた孔部であり、この孔部Ｈ１に締結部材４４が締結されている。
【００２０】
着脱板部４５は、金属製の板部材で形成されており、台座部４３の背面ＭＢに面接触した状態で締結固定されることによって、図４に示すように、台座部４３の前端面ＭＡよりも突出する壁部４５Ａを形成している。この壁部４５Ａは、図４に示すように、開閉方向αに対して垂直方向に延びる溝部４５Ｂを有している。この溝部４５Ｂは延長端が開放し、開放端からギボシ端子２１につながる電気配線６を入れることができる。なお、他方のコネクタ保持部４１の壁部４５Ａには、ギボシ端子２１につながる他の電気配線５を入れることができる。
より具体的には、各溝部４５Ｂは、ギボシ端子２１に圧着される電気配線５、６の外径以上、且つ、ギボシ端子２１のスリーブ２２Ｂ、２３Ｂの外径未満の幅に形成されている。このため、各溝部４５Ｂに電気配線５、６を挿入できる一方、スリーブ２２Ｂ、２３Ｂを挿入することはできず、スリーブ２２Ｂ、２３Ｂが各溝部４５Ｂを通過することを規制できる。
【００２１】
図４に示すように、電気配線５、６を、コネクタ保持部４１の溝部４５Ｂの開放端からそれぞれに挿入し、溝部４５Ｂの奥側に移動させていくことによって、電気配線５、６につながるギボシ端子２１をそれぞれの台座部４３の前端面ＭＡに当接する位置まで移動させることができる。
この場合、電気配線５、６が各溝部４５Ｂに沿って移動するので、図４に示すように、一対のギボシ端子２１を向かい合った位置に案内することができる。しかも、各電気配線５、６を各溝部４５Ｂの奥まで移動させると、一対のギボシ端子２１が台座部４３の前端面ＭＡに当接するので、向かい合った位置で一対のギボシ端子２１を停止させることができる。
【００２２】
これによって、一対のギボシ端子２１を向かい合った位置に容易に保持させることができる。図４では、一対の先端部１３Ｆを大きく開いた状態にしておくことで、一対のギボシ端子２１を向かい合った位置で離間させ、且つ、一対の台座部４３の壁部４５Ａ間に一対のギボシ端子２１を配置させることができる。
図４に示すように、一対の台座部４３の壁部４５Ａ間に一対のギボシ端子２１を配置していれば、一対のギボシ端子２１のスリーブ２２Ｂ、２３Ｂが壁部４５Ａを通過しないので、スリーブ２２Ｂ、２３Ｂが離間する側へのギボシ端子２１が移動することを規制することができる。
【００２３】
このようにして、一対のコネクタ保持部４１により、一対のギボシ端子２１を向かい合った位置に保持し、且つ、一対のギボシ端子２１が離間する側へ移動することを規制した状態にすることができる。言い換えると、コネクタ保持部４１は、先端部１３Ｆの開方向に沿った方向へのギボシ端子２１の相対移動をそれぞれ規制する。但し、一対のコネクタ保持部４１は、少なくとも先端部１３Ｆの開閉方向αに対して垂直方向（図４中、β方向）へのギボシ端子２１の取り外しを許容しているので、一対のギボシ端子２１の着脱は容易である。
【００２４】
この図４に示す状態から一対の先端部１３Ｆを閉じることによって、各壁部４５Ａによって一対のギボシ端子２１のスリーブ２２Ｂ、２３Ｂが押下され、これらスリーブ２２Ｂ、２３Ｂを介して雄側本体２２Ａと雌側本体２３Ａとが近づく。更に一対の先端部１３Ｂを閉じることによって、雄側本体２２Ａを雌側本体２３Ａに挿入させ、且つ、スリーブ２２Ｂを、スリーブ２２Ｂよりも大径のスリーブ２３Ｂに挿入させることができる。これによって、雄側端子２２と雌側端子２３とを接続させることができる。なお、雄側本体２２Ａの雌側本体２３Ａへの挿入に際し、要すれば挿入を助ける為に手を添えて補正するようにしても良い。
【００２５】
図５は、コネクタ接続工具１１の使用状態として、一対のギボシ端子２１の接続が完了するまで先端部１３Ｆを閉じた状態を示している。なお、ギボシ端子２１の接続が完了した状態とは、一対のギボシ端子２１同士が予め定め規定量だけ挿入されて接続状態が良好に保たれた状態である。
検出ユニット１５は、一対のアーム部１３Ａ、１３Ｂの開閉動作によって上記規定量を挿入したときの状態、つまり、接続完了位置に一対のアーム部１３Ａ、１３Ｂが至ったことを検出するユニットである。この検出ユニット１５は、接触形スイッチ１５Ａと、接触形スイッチ１５Ａのオンオフの切り替えを検出する回路部１５Ｂとを有している。
【００２６】
接触形スイッチ１５Ａは、一対のアーム部１３Ａ、１３Ｂの先端部１３Ｆ間に先端部１３Ｆの開閉方向αに沿って配置され、先端部１３Ｆ間の距離が所定の距離に至るとオンオフの状態が切り替わるスイッチである。なお、本実施形態における前記所定の距離（所定量）とは、ギボシ端子２１が接続完了位置に対応する距離とする。
より具体的には、図５に示すように、一対のアーム部１３Ａ、１３Ｂの先端部１３Ｆに、開閉方向αに沿って間隔を空けて一対の板部５１、５２が接合され、一方の板部５１に、接触形スイッチ１５Ａを構成するボールプランジャースイッチの雄ねじ部１５Ｎが螺合される。この接触形スイッチ１５Ａの軸線Ｌ１は、一対のアーム部１３Ａ、１３Ｂの開閉方向αに沿っており、ギボシ端子２１の長さに応じて雄ねじ部１５Ｎの螺合量を調整することにより、接触形スイッチ１５Ａが開閉方向αに沿って移動する。なお、ギボシ端子２１の長さに応じて雄ねじ部１５Ｎの長さを変えてもよい。
【００２７】
接触形スイッチ１５Ａを板部５１に螺合した後、接触形スイッチ１５Ａのねじ部１５Ｎに螺合するナット１６を板部５１に向かって締め付けることにより、接触形スイッチ１５Ａが板部５１に固定される。
その後、一対のアーム部１３Ａ、１３Ｂの先端部１３Ｆを閉じていくと、接触形スイッチ１５Ａの先端部が他方の板部５２に当接することにより、接触形スイッチ１５Ａがオフからオンへと切り替わる。このオンオフが切り替わるタイミングは、接触形スイッチ１５Ａの位置を調整することによって上記接続完了位置に至ったタイミングとされる。なお、接触形スイッチ１５Ａが板部５２に当接するとオンからオフに切り替わる構成でも良い。
【００２８】
回路部１５Ｂは、一対のアーム部１３Ａ、１３Ｂの交差部１３Ｃにブラケット５４（図３）を介して固定され、配線５５を介して接触形スイッチ１５Ａと接続される。この回路部１５Ｂは、接触形スイッチ１５Ａのオン又はオフの状態を検出すると、報知ユニット１７を駆動する回路をボックス内に収容した構成である。
報知ユニット１７（図４）は、回路部１５Ｂの駆動制御により接続完了を報知するユニットであり、本実施形態では、接続完了を示すブザー音を放音する電子ブザーが適用される。この報知ユニット１７は、交差部１３Ｃに対し、回路部１５Ｂと反対側に位置するように上記ブラケット５４に固定される。なお、符号５６は報知ユニット１７と回路部１５Ｂとをつなぐ配線である。
【００２９】
このように、交差部１３Ｃを挟んで回路部１５Ｂと報知ユニット１７とを振り分けて配置するので、交差部１３Ｃの周囲スペースを効率良く利用して回路部１５Ｂと報知ユニット１７とを配置することができる。また、アーム部１３Ａ、１３Ｂの先端部１３Ｆ及び基端部１３Ｒを周囲に露出させることができ、ギボシ端子２１の視認性、及び、コネクタ接続工具１１の操作性を回路部１５Ｂ、及び報知ユニット１７が阻害することがない。
接触形スイッチ１５Ａは、ギボシ端子２１が接続完了位置に至ったときにオンオフが切り替わるので、この接続完了位置になると、報知ユニット１７によりブザー音が報知される。これによって、ユーザは接続完了位置に至ったことをリアルタイムに認識することができる。
【００３０】
以上説明したように、本実施形態のコネクタ接続工具１１は、規定量の挿入によって接続する一対のギボシ端子２１を保持するとともに、保持した一対のギボシ端子２１を接続可能に開閉する一対のアーム部１３Ａ、１３Ｂと、一対のアーム部１３Ａ、１３Ｂが上記規定量を挿入したときの状態に至ったことを検出する検出ユニット１５（検出部）を構成する接触形スイッチ１５Ａ及び回路部１５Ｂと、検出ユニット１５の検出結果を報知する報知ユニット１７（報知部）とを備えるので、工具を使用してギボシ端子２１の接続と接続報知とを行うことが可能となる。これによって、嵌合がきつくても手動の場合と比べて楽に接続作業を行うことができる。従って、ギボシ端子２１の接続作業と接続確認とをユーザが容易に行うことが可能になる。
【００３１】
また、一対のアーム部１３Ａ、１３Ｂの先端部１３Ｆに、一対のギボシ端子２１を向かい合わせて保持するコネクタ保持部４１、４２を備えるので、先端部１３Ｆを開閉させる、という簡易な動作でギボシ端子２１を接続でき、且つ、ギボシ端子２１を容易に視認でき、接続作業をし易くなる。
また、コネクタ保持部４１、４２は、先端部１３Ｆの開方向に沿った方向へのギボシ端子２１の相対移動を規制し、且つ、少なくとも先端部１３Ｆの開閉方向αに対して垂直方向へのギボシ端子２１の取り外しを許容する形状に形成されているので、ギボシ端子２１の着脱作業がし易い。
【００３２】
また、コネクタ保持部４１、４２は、先端部１３Ｆの開方向に沿った方向へのギボシ端子２１の相対移動を規制する規制部として機能する着脱板部４５が着脱自在に構成されるので、ギボシ端子２１の形状に合わせて着脱板部４５を別形状に交換することができる。
また、ギボシ端子２１に限らず、様々なコネクタ形状に合わせて着脱板部４５を製作し、着脱板部４５を適宜に交換するようにすれば、コネクタ接続工具１１に、ギボシ端子２１以外のコネクタを保持させ、ギボシ端子２１と同様に接続することができる。これによって、規定量の挿入によって接続する様々なコネクタを、上記コネクタ接続工具１１を用いて接続し、且つ、接続と同時に接続確認も行うことが可能になる。
【００３３】
さらに、着脱板部４５は、ギボシ端子２１が有する絶縁用のスリーブ２２Ｂ、２３Ｂに当接する当接部であり、このスリーブ２２Ｂ、２３Ｂを介して雄側本体２２Ａ、雌側本体２３Ａを押下して互いに接続させるので、スリーブ２２Ｂ、２３Ｂ同士の接続と、雄側本体２２Ａと雌側本体２３Ａ同士の接続を同時に行うことができ、簡易かつ短時間でギボシ端子２１を接続できる。また、押下時に着脱板部４５が雄側本体２２Ａ及び雌側本体２３Ａに触れないので、雄側本体２２Ａ及び雌側本体２３Ａの変形を抑えることができる。
【００３４】
また、検出ユニット１５は、一対のアーム部１３Ａ、１３Ｂ間の距離が所定の距離に至ったことを検出する接触形スイッチ１５Ａを有し、この接触形スイッチ１５Ａを開閉方向αに調整自在に構成しているので、接触形スイッチ１５Ａの位置を調整して接触形スイッチ１５Ａが検出する上記距離を容易に調整することができる。このため、コネクタ接続工具１１を、接続完了までの挿入量が異なる様々なギボシ端子等のコネクタに容易に対応させることが可能である。
【００３５】
上述した通り、本実施形態のコネクタ接続工具１１はプライヤに似た構造を有するため、公知のプライヤを改良して容易に製作することができる。例えば、市販の電気配線用のペンチに、検出ユニット１５、報知ユニット１７及びコネクタ保持部４１、４２を取り付けることによって、コネクタ接続工具１１を容易に製作することが可能である。
【００３６】
以上、本発明を実施するための形態について述べたが、本発明は上述の実施形態に限定されるものではなく、本発明の技術思想に基づいて各種の変形、及び変更が可能である。例えば、上述の実施形態では、コネクタ接続工具１１を用いて、絶縁用のスリーブ２２Ｂ、２３Ｂを有するギボシ端子２１を接続する場合を主に説明したが、絶縁用のスリーブ２２Ｂ、２３Ｂを有していないコネクタを接続するようにしても良い。また、報知ユニット１７が音声で報知する構成に限らず、光等で報知する構成であっても良い。
【符号の説明】
【００３７】
１１  コネクタ接続工具
１３  工具本体
１３Ａ、１３Ｂ  アーム部
１３Ｃ  交差部
１３Ｆ  先端部
１５  検出ユニット（検出部）
１７  報知ユニット（報知部）
２１  ギボシ端子（コネクタ）
２２  雄側端子
２２Ａ  雄側本体
２２Ｂ、２３Ｂ  スリーブ
２３  雌側端子
２３Ａ  雌側本体
４１、４２  コネクタ保持部
４５  着脱板部（当接部）
α  開閉方向
【図１】
2016143626.tif 000003
【図２】
2016143626.tif 000004
【図３】
2016143626.tif 000005
【図４】
2016143626.tif 000006
【図５】
2016143626.tif 000007